(57)【要約】【課題】材料コストが低くかつ軽量であり、容易に小さく折り畳むことができ、かつ折り畳まれた後に拡げられた場合でも、足の甲を被覆する部分に皺が形成され難く、容易に履くことができるスリッパを提供する。【解決手段】足が載置される底部材２と、足先側において底部材２の一方側縁２ａから他方側縁２ｂに延び、足の甲を被覆するために設けられた甲被覆材３とを備え、甲被覆材３が、底部材２の一方側縁２ａに一端７ａが接続された第１の側面部７と、底部材２の他方側縁２ｂに一端８ａが接続された第２の側面部８と、第１，第２の側面部７，８の他端７ｂ，８ｂに両端９ａ，９ｂが接続された天面部９とを有し、第１，第２の側面部７，８が天面部９よりも柔らかくされている、スリッパ１。【選択図】図１
2008295960.tif 000002
【特許請求の範囲】
【請求項１】
足が載置される底部材と、
足先側において前記底部材の一方側縁から他方側縁に延び、足の甲を被覆するために設けられた甲被覆材とを備え、
前記甲被覆材が、前記底部材の一方側縁に一端が接続された第１の側面部と、前記底部材の他方側縁に一端が接続された第２の側面部と、前記第１，第２の側面部の前記一端とは反対側の他端に両端が接続された天面部とを有し、
前記第１，第２の側面部が、前記天面部よりも柔らかくされていることを特徴とする、スリッパ。
【請求項２】
前記天面部が樹脂シートを含み、それによって前記第１，第２の側面部が前記天面部よりも柔らかくされている、請求項１に記載のスリッパ。
【請求項３】
前記樹脂シートがエチレン酢酸ビニル共重合体からなる、請求項２に記載のスリッパ。
【請求項４】
前記第１，第２の側面部が布からなる、請求項１〜３のいずれか１項に記載のスリッパ。
【請求項５】
前記第１，第２の側面部が折り曲げられて、かつ前記天面部が前記底部材側に寄せられて、前記甲被覆材が、折り畳まれた形態を取り得るように構成されている、請求項１〜４のいずれか１項に記載のスリッパ。
【請求項６】
前記底部材が、折り畳まれた形態を取り得るように構成されている、請求項１〜５のいずれか１項に記載のスリッパ。
【発明の詳細な説明】
【技術分野】
【０００１】
本発明は、足の甲を被覆する部分の構造が改良されたスリッパに関し、容易に小さく折り畳むことができ、かつ折り畳まれた後に拡げられた場合でも、足の甲を被覆する部分に皺が形成され難く、容易に履くことを可能とするスリッパに関する。
【背景技術】
【０００２】
飛行機や電車、車などで長時間旅行する際や、ホテルに宿泊したりする際に、スリッパが持ち運ばれ、用いられている。近年、嵩張らずに持ち運ぶことができるように、小さく折り畳むことが可能なスリッパが提案されてきている。
【０００３】
下記の特許文献１には、小さく折り畳むことが可能なスリッパの一例が開示されている。図６は、特許文献１に記載されているスリッパを示す平面図である。図６に示すスリッパ１０１は、足が載置される底部材１０２と、該底部材１０２に両端が縫い合わされており、かつ足の甲を被覆するために設けられた甲被覆材１０３とを備えている。
【０００４】
底部材１０２の底面には、図示しないが、長さ方向中央近傍を横断するように、ミシン掛けが施されている。よって、ミシン掛けが施された部分において、底部材１０２を折り畳むことが可能とされている。
【０００５】
甲被覆材１０３は、底部材１０２に縫い合わされた側面部１０３ａ，１０３ｂと、該側面部１０３ａ，１０３ｂを結ぶ天面部１０３ｃとを有する。側面部１０３ａ，１０３ｂには、ミシン掛けなどが施され、折りひだが設けられている。よって、折りひだ部分において、側面部１０３ａ，１０３ｂを折り曲げて、天面部１０３ｃを底部材１０２側に寄せることにより、甲被覆材１０３を折り畳むことが可能とされている。
【特許文献１】特許第３７７３１４７号公報
【発明の開示】
【発明が解決しようとする課題】
【０００６】
特許文献１に記載のスリッパ１０１は、小さく折り畳むことが可能とされている。しかしながら、スリッパ１０１では、甲被覆材１０３の側面部１０３ａ，１０３ｂと天面部１０３ｃとが、同じ材料を用いて構成されていた。
【０００７】
甲被覆材１０３全体を比較的軟らかい材料で構成した場合には、甲被覆材１０３を折り畳んだ際に、天面部１０３ｃに皺が形成され易かった。
【０００８】
他方、甲被覆材１０３全体を比較的硬い材料で構成した場合には、側面部１０３ａ，１０３ｂを折り曲げて、甲被覆材１０３を折り畳んだとしても、側面部１０３ａ，１０３ｂに拡がろうとする力が作用し、甲被覆材１０３が拡がることがあった。また、側面部１０３ａ，１０３ｂを充分に折り曲げることができないことがあった。側面部１０３ａ，１０３ｂを折り曲げ易くするためには、上述のように、ミシン掛けなどを施して、折りひだを設けなければならなかった。
【０００９】
さらに、特許文献１に記載のように、甲被覆材１０３全体をポリウレタンフォームシートなどの樹脂シートを用いて構成した場合には、スリッパ１０１の材料コストが高くつき、かつその重量が重くならざるを得なかった。
【００１０】
本発明の目的は、上述した従来技術の現状に鑑み、材料コストが低くかつ軽量であり、容易に小さく折り畳むことができ、かつ折り畳まれた後に拡げられた場合でも、足の甲を被覆する部分に皺が形成され難く、容易に履くことができるスリッパを提供することにある。
【課題を解決するための手段】
【００１１】
本発明によれば、足が載置される底部材と、足先側において前記底部材の一方側縁から他方側縁に延び、足の甲を被覆するために設けられた甲被覆材とを備え、前記甲被覆材が、前記底部材の一方側縁に一端が接続された第１の側面部と、前記底部材の他方側縁に一端が接続された第２の側面部と、前記第１，第２の側面部の前記一端とは反対側の他端に両端が接続された天面部とを有し、前記第１，第２の側面部が、前記天面部よりも柔らかくされていることを特徴とする、スリッパが提供される。
【００１２】
本発明のある特定の局面では、前記天面部が樹脂シートを含み、それによって前記第１，第２の側面部が前記天面部よりも柔らかくされている。この場合には、第１，第２の側面部においてより一層折り曲げ易くなり、甲被覆材を容易に折り畳むことができる。さらに、スリッパが折り畳まれた後に拡げられた場合でも、天面部に皺がより一層形成され難く、かつスリッパを容易に履くことができる。
【００１３】
本発明の他の特定の局面では、前記樹脂シートはエチレン酢酸ビニル共重合体からなり、それによって天面部に皺が形成されるのをさらに一層抑制することができる。
【００１４】
本発明のさらに他の特定の局面では、前記第１，第２の側面部が布からなり、それによって第１，第２の側面部をさらに一層容易に折り曲げることができる。
【００１５】
本発明のさらに他の特定の局面では、前記第１，第２の側面部が折り曲げられて、かつ前記天面部が前記底部材側に寄せられて、前記甲被覆材は、折り畳まれた形態を取り得るように構成されている。この場合には、スリッパを薄くかつ小さくすることができ、スリッパを嵩張らずに持ち運ぶことができる。
【００１６】
本発明の別の特定の局面では、前記底部材は、折り畳まれた形態を取り得るように構成されている。この場合には、スリッパを短くかつ小さくすることができ、スリッパを嵩張らずに持ち運ぶことができる。
【発明の効果】
【００１７】
本発明に係るスリッパでは、甲被覆材が、第１，第２の側面部と天面部とを有し、第１，第２の側面部が天面部よりも柔らかくされているので、第１，第２の側面部を折り曲げて、かつ天面部を底部材側に寄せて、甲被覆材を容易に小さく折り畳むことができる。よって、スリッパを小さくすることができるので、スリッパを嵩張らずに持ち運ぶことができる。また、スリッパが折り畳まれた後に拡げられた場合でも、天面部に皺が形成され難く、かつスリッパを容易に履くことができる。
【００１８】
さらに、甲被覆材の第１，第２の側面部は比較的柔らかく、硬く構成される必要がないので、例えば樹脂シート等を用いずに、布を用いて第１，第２の側面部を構成することができる。従って、スリッパの材料コストを低減でき、かつスリッパを軽量にすることができる。
【発明を実施するための最良の形態】
【００１９】
以下、図面を参照しつつ本発明の具体的な実施形態を説明することにより、本発明を明らかにする。
【００２０】
図１（ａ）〜（ｃ）は、本発明の一実施形態に係るスリッパを示す平面図、底面図及び側面図である。
【００２１】
図１（ａ）〜（ｃ）に示すように、スリッパ１は、足が載置される底部材２と、足の甲を被覆するために設けられた甲被覆材３とを備えている。甲被覆材３は、スリッパ１の足先側において、底部材２の一方側縁２ａから他方側縁２ｂに延びている。スリッパ１は、踵側において、底部材２と甲被覆材３との間に、足を挿入するための開口１ａを有する。
【００２２】
スリッパ１では、足先に甲被覆材３は設けられていない。すなわち、スリッパ１は、足先において、底部材２と甲被覆材３との間に開口１ｂを有する。もっとも、足先に甲被覆材が設けられていてもよく、足先において底部材２と甲被覆材３とは開口されていなくてもよい。
【００２３】
底部材２は、特に限定されないが、芯材となる樹脂シート４と、該樹脂シート４の上面に貼り付けられている布５とを有する。布５が樹脂シート４から剥離するのを防ぐために、底部材２の外周縁には、帯状の布６が縫い付けられている。底部材２は、後に詳述するが、折り畳まれた形態を取り得るように構成されていることが好ましい。
【００２４】
甲被覆材３は、第１，第２の側面部７，８と、天面部９とを有する。第１の側面部７の一端７ａは、底部材２の一方側縁２ａに接続されている。第２の側面部８の一端８ａは、底部材２の他方側縁２ｂに接続されている。底部材２の外周縁には帯状の布６が縫い付けられているが、該帯状布６の縫い付けにより、第１，第２の側面部７，８が底部材２に縫い付けられ、取り付けられている。
【００２５】
第１，第２の側面部７，８の一端７ａ，８ａとは反対側の他端７ｂ，８ｂには、天面部９の一端９ａ及び他端９ｂがそれぞれ接続されている。甲被覆材３の足先側及び踵側の外周縁には、帯状の布１０，１１がそれぞれ縫い付けられている。
【００２６】
図２は、図１（ａ）に示すＡ−Ａ´部分において、スリッパ１を拡大して示す部分切欠背面断面図である。
【００２７】
図２に示すように、第１の側面部７は２枚の布１２Ａと布１３とからなり、第２の側面部８は２枚の布１２Ｂと布１３からなる。第１，第２の側面部７，８は、布１２Ａまたは布１２Ｂと布１３とが積層されて構成されている。布１３は、足の甲と接する底部材２側に位置している。このように、第１，第２の側面部７，８は布からなることが好ましい。第１，第２の側面部７，８が布からなる場合には、第１，第２の側面部７，８をより一層容易に折り曲げることができる。布１３としては、通気性が良く、肌触りが良好な布が好ましい。
【００２８】
天面部９は、特に限定されないが、底部材２側に位置している布１３に、樹脂シート１４及び布１５がこの順で積層されて構成されている。すなわち、天面部９は樹脂シート１４を含み、それによって第１，第２の側面部７，８が天面部９よりも柔らかくされている。このように、天面部９は、樹脂シート１４を含むことが好ましい。天面部９が樹脂シート１４を含むと、第１，第２の側面部７，８においてより一層折り曲げ易くなり、甲被覆材３を容易に折り畳むことができる。さらに、折り畳まれた後に拡げられた場合でも、天面部９に皺がより一層形成され難く、かつスリッパ１を容易に履くことができる。樹脂シート１４の厚みとしては、１．５ｍｍ程度である。
【００２９】
上記樹脂シート１４は、特に限定されないが、エチレン酢酸ビニル共重合体からなることが好ましい。樹脂シート１４がエチレン酢酸ビニル共重合体からなる場合には、天面部９に皺が生じるのをさらに一層抑制することができる。
【００３０】
スリッパ１では、上述のように、第１，第２の側面部７，８が、天面部９よりも柔らかくされている。よって、第１，第２の側面部７，８を折り曲げて、甲被覆材３を容易に折り畳むことができる。よって、スリッパ１を容易に小さくすることができ、嵩張らずに持ち運ぶことができる。さらに、第１，第２の側面部７，８は柔らかく、硬く構成される必要がないので、例えば樹脂シート等を用いずに、布を用いて第１，第２の側面部７，８は構成され得る。従って、スリッパ１の材料コストを低減でき、かつスリッパ１を軽量にすることができる。
【００３１】
スリッパ１は、図３（ａ）〜（ｃ）に示す形態を取り得る。図３（ａ）に示すように、スリッパ１では、甲被覆材３が折り畳まれずに拡げられた形態を取り得るように構成されている。このように、甲被覆材３が拡げられた形態で、使用者はスリッパ１の開口１ａから足を挿入して、スリッパ１を履いて、用いることができる。
【００３２】
また、図３（ｂ），図３（ｃ）に示すように、第１，第２の側面部７，８が折り曲げられて、かつ天面部９が底部材２側に寄せられて、甲被覆材３が折り畳まれた形態を取り得るように構成されている。甲被覆材３が折り畳まれた形態では、スリッパ１は薄くかつ小さくなり、スリッパ１を嵩張らずに持ち運ぶことができる。本実施形態では、図３（ｃ）に示すように、スリッパ１の厚み９を、底部材２と甲被覆材３との合計厚みとほぼ等しい厚さにすることができ、極めて薄くすることができる。
【００３３】
図１（ａ）に示すように、スリッパ１では、底部材２が折り畳まれずに拡げられた形態を取り得るように構成されている。このように、底部材２が拡げられた形態で、使用者はスリッパ１を履いて、用いることができる。
【００３４】
また、図４に示すように、底部材２が折り畳まれた形態を取り得るように構成されている。図４では、甲被覆材３が図３（ｂ）に示すように折り畳まれ、かつ底部材２が折り畳まれている。底部材２の踵部分２ｃは、スリッパ１の足が載置される面側に折り畳まれ、底部材２と甲被覆材３との間の開口１ａに挿入されている。底部材２が折り畳まれた形態では、スリッパ１は短くかつ小さくなり、スリッパ１を嵩張らずに持ち運ぶことができる。
【００３５】
図５に示すように、スリッパ１は、例えば底部材２及び甲被覆材３が折り畳まれた図４に示す形態で、比較的小さな袋２１に入れられ得る。袋２１は、底部材２及び甲被覆材３が折り畳まれていない状態では、スリッパ１を入れることができない大きさとされている。スリッパ１は、小さく折り畳むことができるので、比較的小さな袋２１入れて、嵩張らずに持ち運ぶことができる。
【００３６】
スリッパ１では、底部材２の足が載置される面及び甲被覆材３の外表面が布で覆われている。これにより、スリッパ１が汚れた場合に、スリッパ１を洗濯して、汚れを落とすことができる。また、洗濯したとしても、天面部９に皺が形成され難い。特に、天面部９が樹脂シートを含む場合には、天面部９に皺がより一層形成され難い。
【００３７】
本発明に係るスリッパは、容易に小さく折り畳むことができるので、さらに軽量とされ得るので、携帯用スリッパあるいは旅行用スリッパとして好適に用いることができる。
【図面の簡単な説明】
【００３８】
【図１】（ａ）〜（ｃ）は、本発明の一実施形態に係るスリッパを示す平面図、底面図及び側面図。
【図２】本発明の一実施形態に係るスリッパを拡大して示す部分切欠背面断面図。
【図３】（ａ）〜（ｃ）は、本発明の一実施形態に係るスリッパの取り得る形態を示す背面図。
【図４】本発明の一実施形態に係るスリッパの取り得る他の形態を示す背面図。
【図５】本発明の一実施形態に係るスリッパが袋に収納された状態を示す正面図。
【図６】従来のスリッパを示す平面図。
【符号の説明】
【００３９】
１…スリッパ
１ａ，１ｂ…開口
２…底部材
２ａ…一方側縁
２ｂ…他方側縁
２ｃ…踵部分
３…甲被覆材
４…樹脂シート
５…布
６…帯状布
７，８…第１，第２の側面部
７ａ，７ｂ…一端
８ａ，８ｂ…他端
９…天面部
９ａ…一端
９ｂ…他端
１０，１１…帯状布
１２Ａ，１２Ｂ，１３…布
１４…樹脂シート
１５…布
２１…袋
【図１】
2008295960.tif 000003
【図２】
2008295960.tif 000004
【図３】
2008295960.tif 000005
【図４】
2008295960.tif 000006
【図５】
2008295960.tif 000007
【図６】
2008295960.tif 000008